(57)【特許請求の範囲】
【請求項１】
建物の上下の支持梁に外壁を取付ける外壁の取付構造において、
外壁の裏面の上下にランナーを設け、下ランナーに係合孔を設けるとともに、上ランナーの上面にピンを立ててなり、
下支持梁の上面にピンを立てるとともに、上支持梁の下面に係合孔を設けてなり、
外壁の下ランナーの係合孔を下支持梁の上面のピンに係合し、かつ外壁の上ランナーのピンを上支持梁の係合孔に係合してなる外壁の取付構造。
【請求項２】
前記下支持梁の上面と下ランナーとの間に、スペーサを介することにより隙間を形成してなる請求項１記載の外壁の取付構造。
【請求項３】
前記下支持梁と外壁の裏面との間に隙間を形成してなる請求項１又は２記載の外壁の取付構造。
【請求項４】
前記上支持梁の下面と上ランナーとの間に隙間を形成してなる請求項１〜３のいずれかに記載の外壁の取付構造。
【請求項５】
複数の骨組構成材を接合した骨組構造体からなり、骨組構成材である柱の下端部側に骨組構成材である床梁を接合してなる建物ユニットを用い、
下階建物ユニットの柱の上端部に、上階建物ユニットの骨組構成材を接合してなるユニット建物に、請求項１〜４のいずれかに記載の外壁の取付構造を用いてなるユニット建物であって、
外壁の下ランナーが取付けられる下支持梁を下階建物ユニットの床梁とし、外壁の上ランナーが取付けられる上支持梁を上階建物ユニットの床梁としてなるユニット建物。
【請求項６】
柱と床梁と天井梁とからなる建物ユニットを用い、複数のそれら建物ユニットを接合してなるユニット建物に、請求項１〜４のいずれかに記載の外壁の取付構造を用いてなるユニット建物であって、
外壁の下ランナーが取付けられる下支持梁を建物ユニットの床梁とし、外壁の上ランナーが取付けられる上支持梁を該建物ユニットの天井梁としてなるユニット建物。
【発明の詳細な説明】
【０００１】
【発明の属する技術分野】
本発明は外壁の取付構造とユニット建物に関する。
【０００２】
【従来の技術】
従来の壁面材の施工方法は、例えば、特公平2-8852号公報に記載されている。上記公報記載の壁面材の施工方法は、平板状の壁面材を枠材に固定して壁パネルとし、この壁パネルを複数並列配置してスタッドに連結し、大面積の大壁パネルを組み立て、この大壁パネルを建物の躯体へ取り付ける方法を取っている。
【０００３】
しかしながら、上記従来例においては、壁面材を枠材に固定して壁パネルとするに際し、壁面材が窯業系等の硬い材料で形成されていると、釘、ビス等の接合具を使用して固定することができない。このため、接着剤等を使用しなければならないので、施工に手間がかかったり、剥離の虞があり信頼性に欠けるという問題があった。
【０００４】
このため、本出願人は、施工が容易で、信頼性の高い外壁の取付構造として、特願平9-315597号に記載の如く、外壁の裏面の上下にランナーを設け、下ランナーを建物の床梁に取付け、上ランナーを建物の柱間に掛け渡して取付けるものを提案した。
【０００５】
【発明が解決しようとする課題】
従来技術には以下の問題点がある。
▲１▼外壁が受ける風荷重等の水平方向荷重を、上ランナーを介して両側の柱に伝える。即ち、上ランナーは両側の柱に支持される大スパンで水平方向荷重を支持するものとなり、これによって上ランナーに作用する曲げモーメントの絶対値は大きく、上ランナーに大断面を必要とする。
【０００６】
▲２▼外壁の下ランナーが床梁に直接設置され、接触面積は大きく、熱伝導量が多くなるから、この接触部は熱橋となり、断熱上、防耐火上好ましくない。
【０００７】
▲３▼外壁の上ランナーが建物の柱間に掛け渡される天井梁を兼ねるため、建物のリフォーム等に際して外壁の張り替えを必要とするとき、上ランナーを含む外壁の全体を一度に取外し、取付けできない。外壁の上ランナーに止められている壁面材（パネル）を該上ランナーから１枚ずつ取外し、取付ける必要があり、張り替え性が悪い。
【０００８】
▲４▼下階外壁の上端は上ランナーを介して柱間に掛け渡され、上階外壁の下端は下ランナーを介して床梁に取付けられるものであり、下階外壁の上端と上階外壁の下端が互いに異なる部材に取付けられて支持されるため、それらの両者間に出入段差を生じ易い。
【０００９】
本発明の課題は、外壁を上下のランナーを介して建物の上下の支持梁に取付けるに際し、上ランナーの必要断面を小さくすることにある。
【００１０】
また、本発明の課題は、外壁の取付部における断熱性、防耐火性を向上することにある。
【００１１】
また、本発明の課題は、外壁の張り替え性を向上することにある。
【００１２】
また、本発明の課題は、下階外壁と上階外壁の出入段差を少なくすることにある。
【００１３】
【課題を解決するための手段】
請求項１に記載の本発明は、建物の上下の支持梁に外壁を取付ける外壁の取付構造において、外壁の裏面の上下にランナーを設け、下ランナーに係合孔を設けるとともに、上ランナーの上面にピンを立ててなり、下支持梁の上面にピンを立てるとともに、上支持梁の下面に係合孔を設けてなり、外壁の下ランナーの係合孔を下支持梁の上面のピンに係合し、かつ外壁の上ランナーのピンを上支持梁の係合孔に係合してなるようにしたものである。
【００１４】
請求項２に記載の本発明は、請求項１に記載の本発明において更に、前記下支持梁の上面と下ランナーとの間に、スペーサを介することにより隙間を形成してなるようにしたものである。
【００１５】
請求項３に記載の本発明は、請求項１又は２に記載の本発明において更に、前記下支持梁と外壁の裏面との間に隙間を形成してなるようにしたものである。
【００１６】
請求項４に記載の本発明は、請求項１〜３のいずれかに記載の本発明において更に、前記上支持梁の下面と上ランナーとの間に隙間を形成してなるようにしたものである。
【００１７】
請求項５に記載の本発明は、複数の骨組構成材を接合した骨組構造体からなり、骨組構成材である柱の下端部側に骨組構成材である床梁を接合してなる建物ユニットを用い、下階建物ユニットの柱の上端部に、上階建物ユニットの骨組構成材を接合してなるユニット建物に、請求項１〜４のいずれかに記載の外壁の取付構造を用いてなるユニット建物であって、外壁の下ランナーが取付けられる下支持梁を下階建物ユニットの床梁とし、外壁の上ランナーが取付けられる上支持梁を上階建物ユニットの床梁としてなるようにしたものである。
【００１８】
請求項６に記載の本発明は、柱と床梁と天井梁とからなる建物ユニットを用い、複数のそれら建物ユニットを接合してなるユニット建物に、請求項１〜４のいずれかに記載の外壁の取付構造を用いてなるユニット建物であって、外壁の下ランナーが取付けられる下支持梁を建物ユニットの床梁とし、外壁の上ランナーが取付けられる上支持梁を該建物ユニットの天井梁としてなるようにしたものである。
【００１９】
【作用】
請求項１、５、６の本発明によれば下記▲１▼の作用がある。
▲１▼外壁が受ける風荷重等の水平方向荷重は、上ランナーからピンを介して建物の上支持梁（上階建物ユニットの床梁、又は建物ユニットの天井梁）に伝わる。即ち、外壁の上ランナーに設けるピンの設置間隔を小さくすればするほど、上ランナーに作用する曲げモーメントの絶対値は小さくでき、上ランナーの必要断面を小さくできる。
【００２０】
請求項２、５、６の本発明によれば下記▲２▼の作用がある。
▲２▼外壁の下ランナーがスペーサが形成する隙間Ｇ1を介して建物の下支持梁（建物ユニットの床梁）に設置される（図６）。これにより、下ランナーはスペーサの微小面積だけを介して下支持梁に接触するに過ぎず、熱伝導量を少なくでき、この接触部を熱橋とせずに、断熱性、防耐火性を向上できる。また、下ランナーと下支持梁との間の隙間Ｇ1に、熱橋防止のための断熱材、防耐火被覆材を設置でき、断熱性、防耐火性を向上できる。
【００２１】
請求項３、５、６の本発明によれば下記▲３▼の作用がある。
▲３▼外壁の裏面と建物の下支持梁との間の隙間Ｇ2にも、断熱材、防耐火被覆材を設置でき、断熱性、防耐火性を向上できる（図６）。
【００２２】
請求項４、５、６の本発明によれば下記▲４▼の作用がある。
▲４▼外壁の下ランナーは建物の下支持梁のピンに係合され、外壁の上ランナーは柱に固定されず、建物の上支持梁にピンを介して係合されている。そして、上ランナーは上支持梁との間に隙間１３を形成されているから、外壁を上に上げて下ランナーを下支持梁のピンから抜き、外壁の下ランナーを外方へ引き出し、該外壁を下げるとともに、該外壁の上ランナーのピンを上支持梁から抜くことにより、外壁を上支持梁と下支持梁から容易に取外しできる（図７）。また、逆の手順で容易に取付けできる。これにより、外壁の張り替え性を向上できる。
【００２３】
請求項５の本発明によれば下記▲５▼の作用がある。
▲５▼下階外壁の上ランナーは上階建物ユニットの床梁に取付け、上階外壁の下ランナーも上階建物ユニットの床梁に取付けるものであり、下階外壁の上ランナーと上階外壁の下ランナーが互いに同一部材（床梁）に取付けられるため、下階外壁と上階外壁の間の出入段差を少なくできる（図８）。
【００２４】
【発明の実施の形態】
図１は第１実施形態を示し、（Ａ）は建物ユニットを示す斜視図、（Ｂ）はユニット建物を分解して示す側面図、（Ｃ）はユニット建物を示す側面図、図２は下階建物ユニットと上階建物ユニットの接合状態を示す側面図、図３は建物ユニットと外壁を示す斜視図、図４は外壁と上下の支持梁を示す斜視図、図５は外壁の取付構造を示す断面図、図６は外壁の下部取付構造を示す断面図、図７は外壁の張り替え方法を示す工程図、図８は上下の外壁の取付構造を示す断面図、図９は下支持梁の変形例を示す斜視図、図１０は外壁の下ランナーと下支持梁の変形例を示し、（Ａ）は下ランナーと下支持梁を示す斜視図、（Ｂ）は下ランナーを示す斜視図、（Ｃ）は下支持梁を示す斜視図、図１１は下支持梁を示し、（Ａ）は正面図、（Ｂ）は側面図、（Ｃ）は平面図、図１２は下ランナーを示し、（Ａ）は正面図、（Ｂ）は側面図、（Ｃ）は平面図、図１３はピンの変形例を示す斜視図、図１４はピンの他の変形例を示す斜視図、図１５はピンの他の変形例を示す斜視図、図１６はピンの他の変形例を示す斜視図、図１７は第２実施形態の建物ユニットと外壁を示す斜視図、図１８は外壁の取付構造を示す断面図である。
【００２５】
（第１実施形態）（図１〜図１６）
ユニット建物１０は、図１に示す如く、基礎１１の上に下階建物ユニット１２を搭載し、下階建物ユニット１２の上に上階建物ユニット１３を搭載し、上階建物ユニット１３の上に屋根構造体１４を搭載して構築されている。
【００２６】
（下階建物ユニット１２）（図１）
下階建物ユニット１２は、図１に示す如く、 4本の角鋼管製柱２１と、 4本の角鋼管製床梁２２と、天井パネル２３（天井面支持材）とを箱形に接合した骨組構造体である。
【００２７】
柱２１と床梁２２は、水平力と垂直力を負担して建物ユニット１２の骨組を形成する骨組構成材である。天井パネル２３は骨組構成材ではない。即ち、建物ユニット１２は、各柱２１の下端部に床梁２２を溶接等により剛接合し、各柱２１の上端部に天井パネル２３を固定ピース（不図示）によりピン接合したものである。
【００２８】
（上階建物ユニット１３）（図１）
上階建物ユニット１３は、下階建物ユニット１２と実質的に同様であり、 4本の角鋼管製柱３１と 4本の角鋼管製床梁３２と、天井パネル３３（天井面支持材）とを箱形に接合した骨組構造体である。
【００２９】
柱３１と床梁３２は、水平力と垂直力を負担して建物ユニット１３の骨組を形成する骨組構成材である。天井パネル３３は骨組構成材ではない。即ち、建物ユニット１３は、各柱３１の下端部に床梁３２を溶接等により剛接合し、各柱３１の上端部に天井パネル３３を固定ピース（不図示）によりピン接合したものである。
【００３０】
然るに、ユニット建物１０は、下記(1) 〜(4) により構築される。
(1) 地盤上に形鋼製基礎梁４１を設置する。基礎梁４１は、地盤に設けられるプレキャストコンクリート版もしくは現場打ちコンクリートからなる基礎ベース４２にアンカーボルト等を用いて固定される（図１）。
【００３１】
(2) 下階建物ユニット１２の柱２１の下端エンドプレートを基礎梁４１に高力ボルト、ナットにより剛接合する（図１）。
【００３２】
(3) 下階建物ユニット１２の上に上階建物ユニット１３を搭載し（図２）、下階建物ユニット１２の柱２１の上端エンドプレートに上階建物ユニット１３の柱３１の下端エンドプレートを高力ボルト、ナットにより剛接合する（図２）。
【００３３】
(4) 上階建物ユニット１３の柱３１の上に補強梁４７（もしくは屋根構造体１４）を搭載し、上階建物ユニット１３の柱３１の上端エンドプレートに補強梁４７（もしくは屋根構造体１４）を高力ボルト等により剛接合する（図２）。
【００３４】
しかるに、ユニット建物１０にあっては、下階建物ユニット１２に対する外壁３０の取付構造を以下の如くとしている（図３）。このとき、本実施形態では、下階建物ユニット１２の床梁２２を外壁５０のための下支持梁６１とし、上階建物ユニット１３の床梁３２を外壁５０のための上支持梁６２とするものである。
【００３５】
即ち、図４、図５に示す如く、外壁５０は壁面材（パネル）５０Ａの裏面の上下にＬ形鋼等からなるランナー５１、５２をビス又はリベット等の接合具により固定的に設け、下ランナー５１に係合孔５１Ａを設けるとともに、上ランナー５２の上面にピン５２Ａを立ててある。他方、下支持梁６１（床梁２２）の上面にピン６１Ａを立てるとともに、上支持梁６２（床梁３２）の下面に係合孔６２Ａを設けている。そして、図５に示す如く、外壁５０の下ランナー５１の係合孔５１Ａを下支持梁６１（床梁２２）のピン６１Ａに係合し、かつ外壁５０の上ランナー５２のピン５２Ａを上支持梁（床梁３２）の係合孔６２Ａに係合することにより、外壁５０をユニット建物１０の下階建物ユニット１２に取付けることとしている。尚、ピン５２Ａ、６１Ａはテーパ状尖端部を備え、係合孔５１Ａ、６２Ａに挿入容易化されている。
【００３６】
尚、外壁５０の取付状態で、下支持梁６１の上面と下ランナー５１との間には、ピン６１Ａの基部に付加したスペーサ６１Ｂを介することにより隙間Ｇ1が形成される（図５、図６）。また、下支持梁６１と外壁５０の裏面との間にも隙間Ｇ2が形成される（図５、図６）。
【００３７】
また、外壁５０が取付られ、外壁５０のランナー５１がスペーサ６１Ｂを介して下支持梁６１の上面に預けられた状態で、上支持梁６２の下面と上ランナー５２との間には、隙間Ｇ3が形成される（図７）。尚、外壁５０の取付状態で、外壁５０が上述の隙間Ｇ3の存在に起因する上方へのずれを防止するため、上支持梁６２の下面と上ランナー５２との間にくさび５３を挿入できる。くさび５３は、下階建物ユニット１２に取付けた外壁５０と上階建物ユニット１３に取付けた外壁５０との境界の隙間から挿入でき、外壁５０の取外し時には、抜く、或いは溶かす（くさび５３がホットメルト等の熱によって溶ける物質からできているとき）等により除去できる。
【００３８】
また、外壁５０は、ＡＬＣ材、軽量発泡セラミックス材、木質系パネル材等のいずれからなる壁面材５０Ａを採用するものでも良く、上下のランナー５１、５２に１枚の壁面材５１Ａを設け、又は複数枚の壁面材５０Ａを並列状に設けるのいずれであっても良い。
【００３９】
従って、ユニット建物１０の下階建物１２に対する外壁５０の取外し手順は以下の如くなされる（図７）。尚、外壁５０の取付手順はこの取外し手順の逆手順となる。
【００４０】
(1) 外壁５０を前述の間隙Ｇ3分だけ上に上げ、下ランナー５１を下支持梁６１のピン６１Ａから抜く。
【００４１】
(2) 外壁５０の下ランナー５１を外方へ引き出す。
【００４２】
(3) 外壁５０を下げるとともに、外壁５０の上ランナー５２のピン５２Ａを上支持梁６２から抜く。外壁５０を水平に外方へと移動することにより取外し完了となる。
【００４３】
尚、ユニット建物１０において、上階建物ユニット１３に対する外壁５０の取付構造も上述の下階建物ユニット１２に対する外壁５０の取付構造と実質的に同一であり、上階建物ユニット１３の床梁３２を外壁５０のための下支持梁とし、上階建物ユニット１３の補強梁４７（もしくは屋根構造体１４）を外壁５０のための上支持梁とし、以下の如くなされる。即ち、図７、図８に示す如く、外壁５０の下ランナー５１の係合孔５１Ａを下支持梁（床梁３２）のスペーサ付きピン３２Ａに係合し、かつ外壁５０の上ランナー５２のピン５２Ａを上支持梁（補強梁４７もしくは屋根構造体）の係合孔に係合することにより、外壁５０をユニット建物１０の上階建物ユニット１３に取付ける。
【００４４】
従って、本実施形態によれば以下の作用がある。
▲１▼外壁５０が受ける風荷重等の水平方向荷重は、上ランナー５２からピン５２Ａを介してユニット建物１０の上支持梁６２（上階ユニット建物１３の床梁３２）に伝わる。即ち、外壁５０の上ランナー５２に設けるピン５２Ａの設置間隔を小さくすればするほど、上ランナー５２に作用する曲げモーメントの絶対値は小さくでき、上ランナー５２の必要断面を小さくできる。
【００４５】
▲２▼外壁５０の下ランナー５１がスペーサが形成する隙間Ｇ1を介してユニット建物１０の下支持梁６１（建物ユニット１２の床梁２２）に設置される（図６）。これにより、下ランナー５１はスペーサ６１Ｂの微小面積だけを介して下支持梁６１に接触するに過ぎず、熱伝導量を少なくでき、この接触部を熱橋とせずに、断熱性、防耐火性を向上できる。また、下ランナー５１と下支持梁６１との間の隙間Ｇ1に、熱橋防止のための断熱材、防耐火被覆材を設置でき、断熱性、防耐火性を向上できる。
【００４６】
▲３▼外壁５０の裏面とユニット建物１０の下支持梁６１との間の隙間Ｇ2にも、断熱材、防耐火被覆材を設置でき、断熱性、防耐火性を向上できる（図６）。
【００４７】
▲４▼外壁５０の下ランナー５１はユニット建物１０の下支持梁６１のピン６１Ａに係合され、外壁５０の上ランナー５２は柱２１に固定されず、ユニット建物１０の上支持梁６２にピン６１Ａを介して係合されている。そして、上ランナー５２は上支持梁６２との間に隙間１３を形成されているから、外壁５０を上に上げて下ランナー５１を下支持梁６１のピン６１Ａから抜き、外壁５０の下ランナー５１を外方へ引き出し、該外壁５０を下げるとともに、該外壁５０の上ランナー５２のピン５２Ａを上支持梁６２から抜くことにより、外壁５０を上支持梁６２と下支持梁６１から容易に取外しできる（図７）。また、逆の手順で容易に取付けできる。これにより、外壁５０の張り替え性を向上できる。
【００４８】
▲５▼下階外壁５０の上ランナー５２は上階建物ユニット１３の床梁に取付け、上階外壁５０の下ランナー５１も上階建物ユニット１３の床梁３２に取付けるものであり、下階外壁５０の上ランナー５２と上階外壁５０の下ランナー５１が互いに同一部材（床梁３２）に取付けられるため、下階外壁５０と上階外壁５０の間の出入段差を少なくできる（図８）。
【００４９】
図９は外壁５０のための下支持梁６１の変形例であり、下支持梁６１の上面に設けるピン６１Ａとスペーサ６１Ｂを互いに離隔配置したものである。
【００５０】
図１０は外壁５０の下ランナー５１の係合孔５１Ａ（上支持梁６２の係合孔６２Ａも同じ）と下支持梁６１のピン６１Ａ（上ランナー５２のピン５２Ａも同じ）の変形例であり、下支持梁６１のピン６１Ａ（上ランナー５２のピン５２Ａも同じ）は棒状体に限らず、テーパ状尖端部を備えた板状体を下支持梁６１の上面に接合したもの（図１０（Ａ））、又は、その板状体を下支持梁６１の上面に切り起し形成したもの（図１０（Ｃ））等であっても良い。また、下ランナー５１に設ける係合孔５１Ａ（上支持梁６２の係合孔６２Ａも同じ）は丸孔に限らず、角孔（図１０（Ｂ））等であっても良い。
【００５１】
図１１は下支持梁６１の変形例であり、下支持梁６１の上面に設けるスペーサ６１Ｂを絞り加工により形成したものである。尚、下支持梁６１のスペーサ６１Ｂは、図１２に示す如く、下ランナー５１の下面に設けるスペーサ５１Ｂにより代えることができ、このスペーサ５１Ｂも絞り加工により形成することができる。
【００５２】
図１３は外壁５０のための下支持梁６１のピン６１Ａ（上ランナー５２のピン５２Ａも同じ）の変形例であり、ボルト７１の頭部７１Ａにピン６１Ａを立てるように接合し、このボルト７１を下支持梁６１に設けた挿通孔の表側から裏側に通し、その挿通端にナット７２を螺着し、結果として、下支持梁６１の上面にピン６１Ａを立てるものである。ボルト７１の頭部７１Ａがスペーサ６１Ｂとして兼用できる。図示の下支持梁６１はＣ形鋼である。
【００５３】
図１４は外壁５０のための下支持梁６１のピン６１Ａ（上ランナー５２のピン５２Ａも同じ）の変形例であり、ボルト７５のねじ部７５Ａの先端部をピン６１Ａとし、このボルト７５を下支持梁６１に設けた挿通孔の裏側から表側に通し、その挿通端側からナット７６を螺着し、結果として下支持梁６１の上面にピン６１Ａを立てたものである。ナット７６がスペーサ６１Ｃとして兼用できる。図示の下支持梁６１はＣ形鋼である。
【００５４】
図１５は外壁５０のための下支持梁６１のピン６１Ａ（上ランナー５２のピン５２Ａも同じ）の変形例であり、アルプス精工社製ブラインドボルト（商品名）を使用したものである。即ち、膨出部付きボルト８１、スペーサ８２、平座金付きナット８３の３部品を用い、ボルト８１のねじ部８１Ａの先端部をピン６１Ａとした。そして、ボルト８１の膨出部８１Ｂ、スペーサ８２を下支持梁６１の挿通孔の表側から裏側に通し、ボルト８１のねじ部８１Ａにナット８３を螺合することにより、ボルト８１の膨出部８１Ｂを引き上げてスペーサ８２のスカート部８２Ａを外方に広げ、ナット８３の平座金８３Ａとの間で下支持梁６１に固定する。ナット８３がスペーサ６１Ｂとして兼用される。ピン６１Ａを下支持梁６１の表側だけからの片側作業で取付けできる。
【００５５】
図１６は外壁５０のための下支持梁６１のピン６１Ａ（上ランナー５２のピン５２Ａも同じ）の変形例であり、ポップリベット社製ポップナット（商品名）を使用したものである。即ち、ポップナット８５、ボルト８６の２部品を用い、ボルト８６の頭部８６Ａにピン６１Ａを立てるように接合した。そして、ポップナット８５を下支持梁６１の挿通孔の表側から裏側に通し、マンドレル工具（不図示）によりこのポップナット８５の中間部をつぶして下支持梁６１に固定する。このポップナット８５のねじ部にボルト８６を螺着する。ボルト８６の頭部８６Ａがスペーサ６１Ｂとして兼用される。ピン６１Ａを下支持梁６１の表側だけからの片側作業で取付けできる。
【００５６】
上述の図１３〜図１６によるピン６１Ａ、スペーサ６１Ｂの構成方法によれば以下の作用がある。
【００５７】
▲１▼ピン６１Ａ、スペーサ６１Ｂを取付けるのに下支持梁６１の表面のメッキや防錆塗料を傷つけない。
【００５８】
▲２▼ピン６１Ａ、スペーサ６１Ｂを簡易な取付工具により取付けでき、生産性が良い。
【００５９】
▲３▼ピン６１Ａ、スペーサ６１Ｂの取付けに際し、溶接ひずみ等のひずみを下支持梁６１に付与しない。
【００６０】
▲４▼ピン６１Ａ、スペーサ６１Ｂを容易に取外し、取付位置を容易に修正できる。
【００６１】
▲５▼ピン６１Ａの取付構造の一部をスペーサ６１Ｂとして兼用でき、スペーサ６１Ｂの別個取付作業を不要とし、作業工数を削減でき、生産性が良い。
【００６２】
（第２実施形態）（図１７、図１８）
第２実施形態が第１実施形態と異なる点は、図１７に示す如く、前述の外壁５０と類似の外壁９０の取付構造を、鋼管製柱１０１と鋼管製床梁１０２と鋼管製天井梁１０３とからなる標準形態の建物ユニット１００を用いてなるユニット建物に適用したことにある。
【００６３】
即ち、外壁９０にあっては、図１８に示す如く、壁面材９０Ａの裏面の上下にランナー９１、９２を設け、下ランナー９１に係合孔９１Ａを設けるとともに、上ランナー９２の上面にピン９２Ａを設けてある。また、建物ユニット１００の床梁１０２を外壁９０のための下支持梁とし、この床梁１０２の上面にピン１０２Ａを立てるとともに、建物ユニット１００の天井梁１０３を外壁９０のための上支持梁とし、この天井梁１０３の下面に係合孔１０３Ａを設けた。そして、外壁９０の下ランナー９１の係合孔９１Ａを床梁１０２のピン１０２Ａに係合し、かつ外壁９０の上ランナー９２のピン９２Ａを天井梁１０３の係合孔１０３Ａに係合し、結果として外壁９０を建物ユニット１００に取付けることとしたものである。
【００６４】
尚、床梁１０２の上面と下ランナー９１との間には、スペーサ１０２Ｂを介することにより隙間Ｇ1を形成してある。また、床梁１０２と外壁９０の裏面との間に隙間Ｇ2を形成してある。また、天井梁１０３の下面と上ランナー９２との間に隙間Ｇ3を形成してある。
【００６５】
従って、第２実施形態の外壁９０の取付構造にあっても、第１実施形態の外壁５０の取付構造において前述した▲１▼〜▲４▼の作用と同様の作用を奏する。
【００６６】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の外壁の取付構造はユニット建物に限らず広く一般の建物にも適用できる。
【００６７】
【発明の効果】
以上のように本発明によれば、外壁を上下のランナーを介して建物の上下の支持梁に取付けるに際し、上ランナーの必要断面を小さくすることができる。また、ピンを係合孔に係入させるだけで外壁を位置決め、取付けできるので、大きく重量もある外壁でも、小人数、短時間で取付けできる。
【００６８】
また、本発明によれば、外壁の取付部における断熱性、防耐火性を向上できる。
【００６９】
また、本発明によれば、外壁の張り替え性を向上できる。
【００７０】
また、本発明によれば、下階外壁と上階外壁の出入段差を少なくすることができる。
【図面の簡単な説明】
【図１】図１は第１実施形態を示し、（Ａ）は建物ユニットを示す斜視図、（Ｂ）はユニット建物を分解して示す側面図、（Ｃ）はユニット建物を示す側面図である。
【図２】図２は下階建物ユニットと上階建物ユニットの接合状態を示す側面図である。
【図３】図３は建物ユニットと外壁を示す斜視図である。
【図４】図４は外壁と上下の支持梁を示す斜視図である。
【図５】図５は外壁の取付構造を示す断面図である。
【図６】図６は外壁の下部取付構造を示す断面図である。
【図７】図７は外壁の張り替え方法を示す工程図である。
【図８】図８は上下の外壁の取付構造を示す断面図である。
【図９】図９は下支持梁の変形例を示す斜視図である。
【図１０】図１０は外壁の下ランナーと下支持梁の変形例を示し、（Ａ）は下ランナーと下支持梁を示す斜視図、（Ｂ）は下ランナーを示す斜視図、（Ｃ）は下支持梁を示す斜視図である。
【図１１】図１１は下支持梁を示し、（Ａ）は正面図、（Ｂ）は側面図、（Ｃ）は平面図である。
【図１２】図１２は下ランナーを示し、（Ａ）は正面図、（Ｂ）は側面図、（Ｃ）は平面図である。
【図１３】図１３はピンの変形例を示す斜視図である。
【図１４】図１４はピンの他の変形例を示す斜視図である。
【図１５】図１５はピンの他の変形例を示す斜視図である。
【図１６】図１６はピンの他の変形例を示す斜視図である。
【図１７】図１７は第２実施形態の建物ユニットと外壁を示す斜視図である。
【図１８】図１８は外壁の取付構造を示す断面図である。
【符号の説明】
１０  ユニット建物（建物）
１２  下階建物ユニット
１３  上階建物ユニット
２２  下階床梁（下支持梁６１）
３２  上階床梁（上支持梁６２）
５０  外壁
５１  下ランナー
５１Ａ  係合孔
５２  上ランナー
５２Ａ  ピン
６１  下支持梁
６１Ａ  ピン
６１Ｂ  スペーサ
６２  上支持梁
６２Ａ  係合孔
９０  外壁
９１  下ランナー
９１Ａ  係合孔
９２  上ランナー
９２Ａ  ピン
１０２  床梁（下支持梁）
１０２Ａ  ピン
１０２Ｂ  スペーサ
１０３  天井梁（上支持梁）
１０３Ａ  係合孔
Ｇ1、Ｇ2、Ｇ3   隙間
【図１】
0004204694.tif 000002
【図２】
0004204694.tif 000003
【図３】
0004204694.tif 000004
【図４】
0004204694.tif 000005
【図５】
0004204694.tif 000006
【図６】
0004204694.tif 000007
【図７】
0004204694.tif 000008
【図８】
0004204694.tif 000009
【図９】
0004204694.tif 000010
【図１０】
0004204694.tif 000011
【図１１】
0004204694.tif 000012
【図１２】
0004204694.tif 000013
【図１３】
0004204694.tif 000014
【図１４】
0004204694.tif 000015
【図１５】
0004204694.tif 000016
【図１６】
0004204694.tif 000017
【図１７】
0004204694.tif 000018
【図１８】
0004204694.tif 000019